(57)【要約】【課題】商品収納容器に医薬品を入れて、消費者が当該商品収納容器の二次使用を積極的に促進し、しかも、商品収納容器に入れた医薬品の医薬情報を使用者がチェックするだけで、当該商品収納容器に収納している医薬品の医薬情報を容易に知ることができ、医薬品を収納するという二次使用時に使い勝手がよい商品収納容器を提供する。【解決手段】商品収納容器１０は、有底筒状の器壁１２ａからなる筒体１２と、筒体１２の上部に着脱自在に設けられた蓋体１４を備え、販売時に前記筒体内に非医薬品である焼海苔を収納する。筒体１２の器壁１２ａの外側面の医薬情報ラベル２０に、医薬品の種類２２、薬剤タイプ２４、服用法２６、服用時間２８（医薬情報）が記載されている領域を有する。【選択図】図１
0003154326.tif 000002
【実用新案登録請求の範囲】
【請求項１】
有底筒状の器壁からなる筒体と、前記筒体の上部に着脱自在に設けられた蓋体を備え、販売時に前記筒体内に非医薬品である商品を収納する商品収納容器において、
前記筒体の器壁の外側面に、医薬品の医薬情報が記載されている領域を有することを特徴とする商品収納容器。
【請求項２】
前記商品が茶、乾物のうちいずれか１つであることを特徴とする請求項１に記載の商品収納容器。
【請求項３】
前記筒体と蓋体が、金属製、又はプラスチック製であることを特徴とする請求項１又は請求項２に記載の商品収納容器。
【請求項４】
前記筒体の外表面には、医薬情報としての服用法が記載されており、該服用法が記載されている領域に対して、向かって右の領域、向かって左の領域、上の領域、及び下の領域の内、いずれか１つの領域が、該服用法が適用される医薬情報としての医薬品の種類が複数記載されている領域としていることを特徴とする請求項１乃至請求項３のうちいずれか１項に記載の商品収納容器。
【請求項５】
前記筒体の外表面には、医薬情報としての服用法が記載されており、該服用法が記載されている領域に対して、向かって右の領域、向かって左の領域、上の領域、及び下の領域の内、いずれか１つの領域が、該服用法が適用される医薬情報としての医薬品の服用時間が複数記載されている領域としていることを特徴とする請求項１乃至請求項３のうちいずれか１項に記載の商品収納容器。
【請求項６】
前記筒体の外表面には、医薬情報としての医薬品の種類が記載されており、該医薬品の種類が記載されている領域に対して、向かって右の領域、向かって左の領域、上の領域、及び下の領域の内、いずれか１つの領域が、医薬情報としての医薬品の服用時間が複数記載されている領域としていることを特徴とする請求項１乃至請求項３のうちいずれか１項に記載の商品収納容器。
【請求項７】
前記医薬品の種類が複数記載されている領域には、各医薬品の種類が記載されている部分に隣接してチェック記載欄が記載されていることを特徴とする請求項４に記載の商品収納容器。
【請求項８】
前記医薬品の服用時間が複数記載されている領域には、各医薬品の服用時間が記載されている部分に隣接してチェック記載欄が記載されていることを特徴とする請求項５に記載の商品収納容器。
【請求項９】
請求項１乃至請求項８のいずれか１項の商品収納容器において、筒体が缶形状に形成されていることを特徴とする商品収納容器。
【考案の詳細な説明】
【技術分野】
【０００１】
本考案は、商品収納容器に関し、特に、販売時に非医薬品である商品を収納する商品収納容器に関する。
【背景技術】
【０００２】
従来から、茶、海苔等の商品は、缶形状の商品収納容器に収納された状態で販売されることが多い。これらの、缶形状をなす商品収納容器は、一般には、金属、特にブリキで形成されているものが多く、或いはプラスチックで形成されているものもある。このため、前記商品収納容器は、比較的剛性が高いものとなっている。ところで、商品収納容器内に収納された商品が消費されてしまうと、商品収納容器には前述したように比較的剛性が高く、耐久性もあることから、利便性があるため、捨てられることなく二次使用することが良く行われている。
【０００３】
なお、特許文献１には、医薬品の収納ケースに対して、当該医薬品の薬品説明文書、薬品情報を載せるという技術が提案されている。
【先行技術文献】
【特許文献】
【０００４】
【特許文献１】特開２００２−１０２３１０号公報
【考案の概要】
【考案が解決しようとする課題】
【０００５】
上記のような商品収納容器の二次使用には、種々のものを入れる使用法があるが、中でも医薬品を前記商品収納容器に入れることが良く行われている。
ところで、このように医薬品を収納した商品収納容器では、使用者が服用している医薬品を、複数の商品収納容器にそれぞれ収納している場合、中にどのような医薬品を収納しているかを忘れたり、或いは服用法を忘れてしまうことがある。このような場合、商品収納容器を収納している医薬品の医薬情報、例えば医薬品の種類、服用法等を知るためには、当該商品収納容器を開け、医薬品を収納している医薬袋等に記載されている記載事項（医薬情報）を確認する必要がある。
【０００６】
本考案の目的は、商品収納容器に医薬品を入れて、消費者が当該商品収納容器の二次使用を積極的に促進し、しかも、商品収納容器に入れた医薬品の医薬情報を使用者がチェックするだけで、当該商品収納容器に収納している医薬品の医薬情報を容易に知ることができ、医薬品を収納するという二次使用時に使い勝手がよい商品収納容器を提供することにある。
【課題を解決するための手段】
【０００７】
上記問題点を解決するために請求項１の考案は、有底筒状の器壁からなる筒体と、前記筒体の上部に着脱自在に設けられた蓋体を備え、販売時に前記筒体内に非医薬品である商品を収納する商品収納容器において、前記筒体の器壁の外側面に、医薬品の医薬情報が記載されている領域を有することを特徴とする商品収納容器を要旨とするものである。
【０００８】
請求項２の考案は、請求項１において、前記商品が茶、乾物のうちいずれか１つであることを特徴とする。
請求項３の考案は、請求項１又は請求項２において、前記筒体と蓋体が、金属製、又はプラスチック製であることを特徴とする。
【０００９】
請求項４の考案は、請求項１乃至請求項３のうちいずれか１項において、前記筒体の外表面には、医薬情報としての服用法が記載されており、該服用法が記載されている領域に対して、向かって右の領域、向かって左の領域、上の領域、及び下の領域の内、いずれか１つの領域が、該服用法が適用される医薬情報としての医薬品の種類が複数記載されている領域としていることを特徴とする。
【００１０】
請求項５の考案は、請求項１乃至請求項３のうちいずれか１項において、前記筒体の外表面には、医薬情報としての服用法が記載されており、該服用法が記載されている領域に対して、向かって右の領域、向かって左の領域、上の領域、及び下の領域の内、いずれか１つの領域が、該服用法が適用される医薬情報としての医薬品の服用時間が複数記載されている領域としていることを特徴とする。
【００１１】
請求項６の考案は、請求項１乃至請求項３のうちいずれか１項において、前記筒体の外表面には、医薬情報としての医薬品の種類が記載されており、該医薬品の種類が記載されている領域に対して、向かって右の領域、向かって左の領域、上の領域、及び下の領域の内、いずれか１つの領域が、医薬情報としての医薬品の服用時間が複数記載されている領域としていることを特徴とする。
【００１２】
請求項７の考案は、請求項４において、前記医薬品の種類が複数記載されている領域には、各医薬品の種類が記載されている部分に隣接してチェック記載欄が記載されていることを特徴とする。
【００１３】
請求項８の考案は、請求項５において、前記医薬品の服用時間が複数記載されている領域には、各医薬品の服用時間が記載されている部分に隣接してチェック記載欄が記載されていることを特徴とする。
【００１４】
請求項９の考案は、請求項１乃至請求項７のいずれか１項の商品収納容器において、筒体が缶形状に形成されていることを特徴とする。
【考案の効果】
【００１５】
請求項１の商品収納容器によれば、商品収納容器に医薬品を入れて、消費者が当該商品収納容器の二次使用を積極的に促進し、しかも、商品収納容器に入れた医薬品の医薬情報を使用者がチェックするだけで、当該商品収納容器に収納している医薬品の医薬情報を容易に知ることができ、医薬品を収納するという二次使用時に使い勝手がよい効果がある。
【００１６】
請求項２の商品収納容器によれば、商品が茶、乾物のうちいずれか１つを収納していた商品収納容器により、請求項１の効果を容易に実現できる。
請求項３の商品収納容器によれば、筒体と蓋体が、金属製、又はプラスチック製であり、剛性があるため、二次使用時の耐久性を得ることができる。
【００１７】
請求項４の商品収納容器によれば、収納されている医薬品の服用法と、医薬品の種類を、商品収納容器を開けることなく、使用者は容易に知ることができる。
請求項５の商品収納容器によれば、収納されている医薬品の服用法と、服用時間を、商品収納容器を開けることなく、使用者は容易に知ることができる。
【００１８】
請求項６の商品収納容器によれば、収納されている医薬品の種類と、服用時間を、商品収納容器を開けることなく、使用者は容易に知ることができる。
請求項７の商品収納容器によれば、医薬品の種類が複数記載されている領域に、各医薬品の種類が記載されている部分に隣接してチェック記載欄が設けられていることから、このチェック記載欄に、使用者は、チェックを入れるだけで、使用者は、後に、この商品収納容器を外部から見るだけで、チェックがされた医薬品が収納されていることを知ることができる。
【００１９】
請求項８の商品収納容器によれば、医薬品の服用時間が複数記載されている領域には、各医薬品の服用時間が記載されている部分に隣接してチェック記載欄が記載されていることから、このチェック記載欄に、使用者は、チェックを入れるだけで、使用者は、後に、この商品収納容器を外部から見るだけで、チェックがされた服用時間で収納された医薬品を服用すればよいことを知ることができる。
【００２０】
請求項９の商品収納容器によれば、筒体が缶形状の商品収納容器において、上記請求項１乃至請求項８のいずれかの効果を容易に実現できる。
【図面の簡単な説明】
【００２１】
【図１】（ａ）は、本考案の第１実施形態の商品収納容器の正面側から見た斜視図、（ｂ）は、同じく背面側から見た商品収納容器の斜視図。
【図２】（ａ）は、本考案の第２実施形態の商品収納容器の正面側から見た斜視図、（ｂ）は、同じく背面側から見た商品収納容器の斜視図。
【図３】本考案の第３実施形態の背面側から見た商品収納容器の斜視図。
【考案を実施するための形態】
【００２２】
（第１実施形態）
本考案を、具体化した商品収納容器の一実施形態を図１（ａ）、図１（ｂ）を参照して説明する。
【００２３】
本実施形態の商品収納容器１０は、有底円筒状の筒体１２と、筒体１２の上部に対して着脱自在に外嵌する有蓋円筒状の蓋体１４からなる。筒体１２は、器壁としての円筒状の器壁１２ａ、及び器壁１２ａの下部を閉塞する器壁としての底壁（図示せず）からなる。本実施形態では、筒体１２及び蓋体１４の材質はプラスチックからなる。なお、筒体１２及び蓋体１４の材質は、プラスチックに限定されるものではなく、金属製であってもよく、筒体１２，蓋体１４の形状の維持ができる剛性があることが好ましい。筒体１２の有底筒状に形成されていることにより、缶形状となっている。なお、筒体１２、及び蓋体１４は、筒状であればよく、円筒状に限定されるものではない。例えば、筒体１２、及び蓋体１４は、四角筒状、或いは断面多角形状、或いは、楕円形状であってもよい。
【００２４】
図１（ａ）に示すように、筒体１２の正面には、商品ラベル１６が接着剤により貼着されている。商品ラベル１６には、当該商品収納容器１０が、販売時に収納する商品名、販売会社、或いは製造会社等の当該商品に関する事項が印刷されている。本実施形態では、販売時の商品として「焼海苔」が商品収納容器１０内に収納されて販売される。
【００２５】
図１（ｂ）に示すように、筒体１２の背面側の器壁１２ａには、二次使用が可能なように医薬情報が印刷された医薬情報ラベル２０が接着剤により貼着されている。
医薬情報ラベル２０の表面には、図１（ｂ）に示すように、医薬品に関する各種の医薬情報が印刷されている。
【００２６】
医薬情報としては、医薬品の種類２２、例えは、内服薬、外用薬等がある。又、医薬情報としては、薬剤タイプ２４（粉薬、カプセル、錠剤、トローチ、ペースト等）がある。又、医薬情報としては、服用法２６がある。服用法２６には、塗布、貼付け、うがい、点眼、点鼻、点耳、座薬、吸入等がある。更に、他の医薬情報としては、服用時間２８がある。服用時間には、食事の前（食前）、食事の後（食後）、食事と食事の間（食間）、朝、昼、夕、就寝前、及び、１日の服用回数、及び何時間毎等がある。なお、本明細書では、服用時間とは、服用するタイミングに関係するものを意味する。
【００２７】
本実施形態では、図１（ｂ）に示すように、服用法２６が記載されている領域の上の領域に医薬品の種類２２が記載されている。具対的には、本実施形態では、「塗布」、「貼付」、「うがい」、「吸入」、「点眼」、「点鼻」、「点耳」、「座薬」が服用法２６として記載されている。そして、該服用法２６の上の領域に、医薬品の種類２２として、「内服薬」、及び「外用薬」が記載されている。
【００２８】
又、本実施形態では、図１（ｂ）に示すように、服用法２６が記載されている領域の向かって左の領域が、医薬品の服用時間２８が複数記載されている領域としている。具体的には、本実施形態では、服用法２６が記載されている領域の向かって左の領域に、食事の「前」、「後」、及び「間」、並びに「朝」、「昼」、「夕」、「就寝前」、「１日  回」、「疼痛時」、「便秘時」が服用時間２８として記載されている。
【００２９】
又、医薬品の種類２２、薬剤タイプ２４、服用法２６、及び服用時間２８が記載された各領域の各項目毎に隣接してチェック記載欄３０が印刷されている。
又、図１（ｂ）に示すように、医薬情報ラベル２０において、最下部には、名前欄３２が印刷されている。
【００３０】
本実施形態の当該商品収納容器１０の再利用について説明する。
商品収納容器１０は、販売時には、商品として焼海苔が入れられて販売される。この商品を購買した消費者、或いは贈答を受けた消費者は、この中身の商品を消費した後、医薬品を収納することで再利用を行うことができる。この場合、商品収納容器１０に収納する医薬品の種類、服用法、薬剤タイプ、服用時間にそれぞれ合致する項目のチェック記載欄３０に対して筆記具によりチェックを入れ、医薬品を服用する人の名を名前欄３２に書き入れる。又、服用する医薬品の１日の服用回数を「１日  回」の記載の項目にその数値を書き入れる。このようにして、使用者（すなわち、前記消費者）は、商品収納容器１０に対して、医薬品を収納して利用する。
【００３１】
そして、使用者は、商品収納容器１０のチェックされた項目を視認することにより、商品収納容器１０に収納された医薬品の医薬情報を確認し、蓋体１４を開けて医薬品を服用する。
【００３２】
さて、上記のように構成された商品収納容器１０の効果を以下に説明する。
（１）  本実施形態の商品収納容器１０は、有底筒状の器壁１２ａからなる筒体１２と、筒体１２の上部に着脱自在に設けられた蓋体１４を備え、販売時に前記筒体内に非医薬品である焼海苔（商品）を収納する。そして、筒体１２の器壁１２ａの外側面に、医薬品の種類２２、薬剤タイプ２４、服用法２６、服用時間２８（医薬情報）が記載されている領域を有する。この結果、本実施形態の商品収納容器１０は、医薬品を入れて、消費者が当該商品収納容器の二次使用を積極的に促進し、しかも、商品収納容器１０に入れた医薬品の医薬情報を使用者がチェックするだけで、当該商品収納容器１０に収納している医薬品の医薬情報を容易に知ることができ、医薬品を収納するという二次使用時に使い勝手がよい効果がある。
【００３３】
（２）  本実施形態の商品収納容器１０が販売時に収納する商品を乾物である焼海苔とした。本実施形態によれば、販売時の商品が焼海苔茶を収納していた商品収納容器１０において、上記（１）の効果を容易に実現できる。
【００３４】
（３）  本実施形態の商品収納容器１０は、筒体１２と蓋体１４が、ブリキ（金属製）製とした。この結果、筒体１２と蓋体１４が、プラスチック製であり、剛性があるため、二次使用時の耐久性を得ることができる。
【００３５】
（４）  本実施形態の商品収納容器１０では、筒体１２の外表面に、医薬情報としての服用法２６が記載されており、該服用法が記載されている領域に対して、上の領域が、該服用法が適用される医薬情報としての医薬品の種類２２が複数記載されている。この結果、収納されている医薬品の服用法と、医薬品の種類を、商品収納容器を開けることなく、使用者は容易に知ることができる。
【００３６】
（５）  本実施形態の商品収納容器１０は、筒体１２の外表面には、医薬情報としての服用法２６が記載されており、該服用法２６が記載されている領域に対して、向かって左の領域が、該服用法２６が適用される医薬情報としての医薬品の服用時間２８が複数記載されている。この結果、収納されている医薬品の服用法と、服用時間を、商品収納容器１０の蓋体１４を開けることなく、使用者は容易に知ることができる。
【００３７】
（６）  本実施形態では、医薬品の種類２２が複数記載されている領域には、各医薬品の種類２２が記載されている部分に隣接してチェック記載欄３０が記載されている。この結果、本実施形態の商品収納容器１０では、医薬品の種類が複数記載されている領域に、各医薬品の種類が記載されている部分に隣接してチェック記載欄３０が設けられていることから、このチェック記載欄３０に、使用者は、チェックを入れるだけで、使用者は、後に、この商品収納容器１０を外部から見るだけで、チェックがされた医薬品が収納されていることを知ることができる。
【００３８】
（７）  本実施形態では、医薬品の服用時間２８が複数記載されている領域には、各医薬品の服用時間２８が記載されている部分に隣接してチェック記載欄３０が記載されている。この結果、本実施形態では、このチェック記載欄３０に、使用者は、チェックを入れるだけで、使用者は、後に、この商品収納容器１０を外部から見るだけで、チェックがされた服用時間２８で収納された医薬品を服用すればよいことを知ることができる。
【００３９】
（第２実施形態）
次に、第２実施形態を図２（ａ）、図２（ｂ）を参照して説明する。なお、第２実施形態を含め、以下に説明する実施形態では、第１実施形態の構成と同一又は相当する構成については同一符号を付してその詳細な説明を省略し、異なる構成を中心に説明する。
【００４０】
第２実施形態では、販売時の商品として新茶を商品収納容器１０に収納すること、商品ラベル１６が省略されて「新茶」の名前が、筒体１２の正面に直に印刷されていること、及び医薬情報ラベル２０に記載する事項が、薬剤タイプ２４が省略されていること等が異なっている。なお、本実施形態では、商品収納容器１０の筒体１２及び蓋体１４の材質はブリキ等の金属製で形成されている。
【００４１】
具体的には、本実施形態では、図２（ｂ）に示すように、医薬品の種類２２としては、「外用薬」のみが記載されている。又、服用法２６としては、具対的には、本実施形態では、「塗布」、「貼付」、「点耳」、「座薬」、「点眼」、「点鼻」、「うがい」、「吸入」が記載されている。
【００４２】
又、服用時間２８として、「発熱時」、「疼痛時」、「便秘時」及び「１日  回」が記載されている。
本実施形態では、図２（ｂ）に示すように、服用法２６が記載されている領域の上の領域に医薬品の種類２２が記載されている。
【００４３】
又、本実施形態では、図２（ｂ）に示すように、服用法２６が記載されている領域の上の領域、及び下の領域に、前記医薬品の服用時間２８が記載されている。具体的には、本実施形態では、服用法２６が記載されている領域の上の領域には、「１日  回」が服用時間２８として記載されている。又、服用法２６が記載されている領域の下領域には、「発熱時」、「疼痛時」、「便秘時」が服用時間２８として記載されている。
【００４４】
又、服用法２６、及び服用時間２８が記載された各領域の各項目毎に、チェック記載欄３０が印刷されている。
本実施形態の当該商品収納容器１０の再利用について説明する。
【００４５】
商品収納容器１０は、販売時には、商品として新茶が入れられて販売される。この商品を購買した消費者、或いは贈答を受けた消費者は、この中身の商品を消費した後、外用薬である医薬品を収納することで再利用を行うことができる。この場合、商品収納容器１０に収納する服用法、服用時間にそれぞれ合致する項目のチェック記載欄３０に対して筆記具によりチェックを入れ、医薬品を服用する人の名を名前欄３２に書き入れる。又、服用する医薬品の１日の服用回数を「１日  回」の記載の項目にその数値を書き入れる。このようにして、使用者（すなわち、前記消費者）は、商品収納容器１０に対して、外用薬である医薬品を収納して利用する。
【００４６】
そして、使用者は、商品収納容器１０のチェックされた項目を視認することにより、商品収納容器１０に収納された医薬品の医薬情報を確認し、蓋体１４を開けて医薬品を服用する。
【００４７】
本実施形態においても、第１実施形態の（１）〜（７）と同様の効果を奏する。
（第３実施形態）
次に、第３実施形態を図３を参照して説明する。第３実施形態は、第１実施形態の変形であり、第１実施形態と異なる構成を中心に説明する。
【００４８】
第３実施形態は、第１実施形態の構成中、販売時の商品として茶を商品収納容器１０に収納すること、商品ラベル１６が省略されて、筒体１２の正面には商品名がふされていないこと、及び医薬情報ラベル２０に記載する事項が異なっている。なお、本実施形態では、商品収納容器１０の筒体１２及び蓋体１４の材質はブリキ等の金属製で形成されている。
【００４９】
具体的には第１実施形態と異なる構成として、本実施形態では、図３に示すように、医薬品の種類２２として「内服薬」のみが記載され、服用法２６は省略されている。又、服用時間２８として、食事の「前」、「後」、及び「間」、並びに「朝」、「昼」、「夕」、「就寝前」、「１日  回」が記載されている。又、「朝」、「昼」、「夕」、「就寝前」のそれぞれ上には、それぞれの意味を表わす図が記載されている。
【００５０】
又、本実施形態では、図３に示すように、医薬品の種類２２が記載されている領域の下の領域に服用時間２８が記載されている。
又、本実施形態では、薬剤タイプ２４として「粉薬」、「カプセル」、「錠剤」が服用時間２８の領域の下の領域に記載されている。薬剤タイプ２４の各項目を意味する絵３６が隣接して描かれている。又、薬剤タイプ２４，及び服用時間２８が記載された各領域の各項目毎に、チェック記載欄３０が印刷されている。又、名前欄３２が、医薬情報ラベル２０の最下部の領域に記載されている。
【００５１】
本実施形態の当該商品収納容器１０の再利用について説明する。
商品収納容器１０は、販売時には、商品として茶が入れられて販売される。この商品を購買した消費者、或いは贈答を受けた消費者は、この中身の商品を消費した後、外用薬である医薬品を収納することで再利用を行うことができる。この場合、商品収納容器１０に収納する、薬剤タイプ２４、服用時間２８にそれぞれ合致する項目のチェック記載欄３０に対して筆記具によりチェックを入れ、医薬品を服用する人の名を名前欄３２に書き入れる。又、服用する医薬品の１日の服用回数を「１日  回」の記載の項目にその数値を書き入れる。このようにして、使用者（すなわち、前記消費者）は、商品収納容器１０に対して、外用薬である医薬品を収納して利用する。
【００５２】
そして、使用者は、商品収納容器１０のチェックされた項目を視認することにより、商品収納容器１０に収納された医薬品の医薬情報を確認し、蓋体１４を開けて医薬品を服用する。
【００５３】
本実施形態においても、第１実施形態の（１）〜（３）、（６）、（７）と同様の効果を奏するとともに、収納されている医薬品の種類と、服用時間を、商品収納容器を開けることなく、使用者は容易に知ることができる。
【００５４】
なお、本考案の実施形態は以下のように変更してもよい。
・  第１実施形態では、販売時の商品として焼海苔、第２実施形態では、商品として茶にしたが、これらの商品に限定されるものではなく、他の商品であってもよい。例えば、一般に、缶形状の当該商品収納容器は、乾物が収納されることが多い。乾物としては、鰹節（削り節を含む）、魚類の煮干し、魚類の素干し、海藻、昆布、貝柱等を挙げることができる。これらのいずれかの１つ、又は２つ以上を組み合わせたものを商品として商品収納容器に収納して販売するようにしてもよい。この場合においても、当該商品収納容器１０の器壁１２ａの裏面側に医薬情報を記載した医薬情報ラベル２０を貼着するようにする。
【００５５】
・  前記各実施形態では、医薬情報を医薬情報ラベルを筒体１２に貼着するようにしたが、筒体に直接印刷するようにしてもよい。
・  第１実施形態では、図１（ｂ）に示すように、服用法２６が記載されている領域の上の領域に医薬品の種類２２が記載したが、第１実施形態で説明した服用法２６が記載されている領域の下の領域に、第１実施形態で説明した医薬品の種類２２を記載してもよい。
【００５６】
又、第１実施形態で説明した服用法２６が記載されている領域の向かって右の領域に、第１実施形態で説明した医薬品の種類２２を記載してもよい。又、第１実施形態で説明した服用法２６が記載されている領域の向かって左の領域に、第１実施形態で説明した医薬品の種類２２を記載してもよい。
【００５７】
・  第１実施形態では、図１（ｂ）に示すように、服用法２６が記載されている領域の向かって左の領域が、医薬品の服用時間２８が複数記載されている領域とした。この代わりに、服用法２６が記載されている領域の向かって右の領域を、医薬品の服用時間２８が複数記載されている領域としてもよい。
【００５８】
又、服用法２６が記載されている領域の向かって上の領域を、医薬品の服用時間２８が複数記載されている領域としてもよい。又、服用法２６が記載されている領域の向かって下の領域を、医薬品の服用時間２８が複数記載されている領域としてもよい。
【００５９】
・  前記各実施形態では、医薬情報ラベル２０に医薬情報を記載したが、印刷により、各実施形態において、医薬情報ラベル２０を省略し、各実施形態において、筒体１２の外側面に医薬情報ラベル２０に載せた医薬情報を直接印刷しておいても同様の効果を奏する。
【００６０】
・  第３実施形態では、図３に示すように、医薬品の種類２２が記載されている領域の下の領域に服用時間２８が記載されているが、この構成に限定されるものではない。例えば、医薬品の種類２２が記載されて領域に対して、向かって右の領域に記載されていてもよい。医薬品の種類２２が記載された領域に対して、向かって左の領域に記載されていてもよい。或いは、医薬品の種類２２が記載された領域に対して、上の領域に記載されていてもよい。
【符号の説明】
【００６１】
１０…商品収納容器、１２…筒体、１２ａ…器壁、２０…医薬情報ラベル、
２２…医薬品の種類、２４…薬剤タイプ、２６…服用法、
２８…服用時間、３０…チェック記載欄、３２…名前欄。
【図１】
0003154326.tif 000003
【図２】
0003154326.tif 000004
【図３】
0003154326.tif 000005